(57)【要約】【課題】  被写体側に精神的・物理的不自由さを強いることなく、有効に盗撮を防止する。【解決手段】  カメラ機能付き小型電子機器１に撮影の制御を行う撮影制御装置４を搭載し、撮影制御装置４の撮影開始状態検出部４０１が撮影が可能な撮影開始状態になっているか否かを検出し、傾き検出部４０２が撮影開始状態の際のカメラ機能付き小型電子機器１の傾きを検出し、傾き検出部４０２により検出された傾きが所定の角度以上である場合に、撮影制御部４０３が撮影実行部５を制御して撮影を行えない状態にし、これにより盗撮を防止する。【選択図】        図１
2005260823.tif 000002
【特許請求の範囲】
【請求項１】
撮影機器に搭載され、前記撮影機器の撮影の制御を行う撮影制御装置であって、
前記撮影機器の状態及び前記撮影機器の周囲の状態の少なくともいずれかを検出する状態検出部と、
前記状態検出部により検出された前記撮影機器の状態及び前記撮影機器の周囲の状態の少なくともいずれかが所定の条件に合致する場合に、撮影を抑止するため制御を行う撮影制御部とを有することを特徴とする撮影制御装置。
【請求項２】
前記状態検出部は、
前記撮影機器の傾きを検出する傾き検出部であり、
前記撮影制御部は、
前記傾き検出部により検出された前記撮影機器の傾きが水平方向から所定の角度以上であるか否かを判断し、前記撮影機器の傾きが所定の角度以上である場合に、前記撮影機器を制御して撮影を行えない状態にすることを特徴とする請求項１に記載の撮影制御装置。
【請求項３】
前記状態検出部は、
所定の位置にユーザの右手が配置されたか否かを検出する右手配置検出部と、所定の位置にユーザの左手が配置されたか否かを検出する左手配置検出部とを有し、
前記撮影制御部は、
前記右手配置検出部によりユーザの右手が配置されたことが検出されない場合、及び前記左手配置検出部によりユーザの左手が配置されたことが検出されない場合の少なくともいずれかの場合に、前記撮影機器を制御して撮影を行えない状態にすることを特徴とする請求項１に記載の撮影制御装置。
【請求項４】
前記右手配置検出部は、
前記撮影機器のユーザの右手の指紋を記憶しており、記憶している前記撮影機器のユーザの右手の指紋と照合して前記撮影機器のユーザの右手が配置されたか否かを検出し、
前記左手配置検出部は、
前記撮影機器のユーザの左手の指紋を記憶しており、記憶している前記撮影機器のユーザの左手の指紋と照合して前記撮影機器のユーザの左手が配置されたか否かを検出することを特徴とする請求項３に記載の撮影制御装置。
【請求項５】
前記右手配置検出部及び前記左手配置検出部は、
それぞれ圧力センサを有し、圧力センサにより前記撮影機器のユーザの右手及び左手が配置されたか否かを検出することを特徴とする請求項３に記載の撮影制御装置。
【請求項６】
前記撮影制御装置は、更に、
所定の警告音を、音量を変化させて出力可能な警告音出力部を有し、
前記状態検出部は、
前記撮影機器が撮影開始状態になった際の前記撮影機器の周囲の騒音レベルを検出する騒音レベル検出部であり、
前記撮影制御部は、
前記騒音レベル検出部により検出された騒音レベルが所定の音量以上であるか否かを判断し、騒音レベルが所定の音量以上である場合に、前記警告音出力部から警告音を出力させる際の音量を騒音レベルに応じて決定し、決定した音量にて警告音を出力するよう前記警告音出力部に対して指示を出し、
前記警告音出力部は、
前記撮影制御部から指示された音量にて警告音を出力することを特徴とする請求項１に記載の撮影制御装置。
【請求項７】
前記撮影制御装置は、
録音機能を有する撮影機器に搭載され、
前記撮影制御装置は、更に、
前記警告音出力部から警告音が出力されている状態で前記撮影機器により録音が行われる場合に、前記警告音出力部の警告音の逆位相の音声データを発生させて前記撮影機器の録音データから警告音を消去する警告音消去部を有することを特徴とする請求項６に記載の撮影制御装置。
【請求項８】
撮影機器の撮影の制御を行う撮影制御方法であって、
前記撮影機器の状態及び前記撮影機器の周囲の状態の少なくともいずれかを検出する状態検出ステップと、
前記状態検出ステップにより検出された前記撮影機器の状態及び前記撮影機器の周囲の状態の少なくともいずれかが所定の条件に合致する場合に、撮影を抑止するため制御を行う撮影制御ステップとを有することを特徴とする撮影制御方法。
【請求項９】
前記状態検出ステップは、
前記撮影機器の傾きを検出する傾き検出ステップであり、
前記撮影制御ステップは、
前記傾き検出ステップにより検出された前記撮影機器の傾きが水平方向から所定の角度以上であるか否かを判断し、前記撮影機器の傾きが所定の角度以上である場合に、前記撮影機器を制御して撮影を行えない状態にすることを特徴とする請求項８に記載の撮影制御方法。
【請求項１０】
前記状態検出ステップは、
所定の位置にユーザの右手が配置されたか否かを検出する右手配置検出ステップと、所定の位置にユーザの左手が配置されたか否かを検出する左手配置検出ステップとを有し、
前記撮影制御ステップは、
前記右手配置検出ステップによりユーザの右手が配置されたことが検出されない場合、及び前記左手配置検出ステップによりユーザの左手が配置されたことが検出されない場合の少なくともいずれかの場合に、前記撮影機器を制御して撮影を行えない状態にすることを特徴とする請求項８に記載の撮影制御方法。
【請求項１１】
前記撮影制御方法は、更に、
所定の警告音を、音量を変化させて出力可能な警告音出力ステップを有し、
前記状態検出ステップは、
前記撮影機器が撮影開始状態になった際の前記撮影機器の周囲の騒音レベルを検出する騒音レベル検出ステップであり、
前記撮影制御ステップは、
前記騒音レベル検出ステップにより検出された騒音レベルが所定の音量以上であるか否かを判断し、騒音レベルが所定の音量以上である場合に、前記警告音出力ステップから警告音を出力させる際の音量を騒音レベルに応じて決定し、決定した音量にて警告音を出力するよう前記警告音出力ステップに対して指示を出し、
前記警告音出力ステップは、
前記撮影制御ステップから指示された音量にて警告音を出力することを特徴とする請求項８に記載の撮影制御方法。
【請求項１２】
撮影機器の撮影の制御をコンピュータに実行させるプログラムであって、
前記撮影機器の状態及び前記撮影機器の周囲の状態の少なくともいずれかを検出する状態検出処理と、
前記状態検出処理により検出された前記撮影機器の状態及び前記撮影機器の周囲の状態の少なくともいずれかが所定の条件に合致する場合に、撮影を抑止するため制御を行う撮影制御処理とをコンピュータに実行させることを特徴とするプログラム。
【請求項１３】
前記状態検出処理は、
前記撮影機器の傾きを検出する傾き検出処理であり、
前記撮影制御処理は、
前記傾き検出処理により検出された前記撮影機器の傾きが所定の角度以上であるか否かを判断し、前記撮影機器の傾きが所定の角度以上である場合に、前記撮影機器を制御して撮影を行えない状態にすることを特徴とする請求項１２に記載のプログラム。
【請求項１４】
前記状態検出処理は、
前記撮影機器のユーザの右手が配置されるべき位置にユーザの右手が配置されたか否かを検出する右手配置検出処理と、前記撮影機器のユーザの左手が配置されるべき位置にユーザの左手が配置されたか否かを検出する左手配置検出処理とを有し、
前記撮影制御処理は、
前記右手配置検出処理によりユーザの右手が配置されたことが検出されない場合、及び前記左手配置検出処理によりユーザの左手が配置されたことが検出されない場合の少なくともいずれかの場合に、前記撮影機器を制御して撮影を行えない状態にすることを特徴とする請求項１２に記載のプログラム。
【請求項１５】
前記プログラムは、更に、
所定の警告音を、音量を変化させて出力可能な警告音出力処理を有し、
前記状態検出処理は、
前記撮影機器が撮影開始状態になった際の前記撮影機器の周囲の騒音レベルを検出する騒音レベル検出処理であり、
前記撮影制御処理は、
前記騒音レベル検出処理により検出された騒音レベルが所定の音量以上であるか否かを判断し、騒音レベルが所定の音量以上である場合に、前記警告音出力処理から警告音を出力させる際の音量を騒音レベルに応じて決定し、決定した音量にて警告音を出力するよう前記警告音出力処理に対して指示を出し、
前記警告音出力処理は、
前記撮影制御処理から指示された音量にて警告音を出力することを特徴とする請求項１２に記載のプログラム。
【発明の詳細な説明】
【技術分野】
【０００１】
この発明は、デジタルカメラや携帯電話機に代表されるカメラ機能を有する電子機器に関するものである。
【背景技術】
【０００２】
図１２は特開２００３−１６３８２２号公報で示された従来の盗撮検知システムを示す図である。この特開２００３−１６３８２２号公報に示される盗撮検知システムでは、受信器１１を保持する者をデジタルカメラ１０が撮影しようとした際に、発信器１００が受信器１１に対して予め対応付けられた情報を発信することにより、受信器１１を保持する者は、何者かが自分を撮影しようとしていることを検知でき、警戒することが可能である。
【特許文献１】特開２００３−１６３８２２号公報
【発明の開示】
【発明が解決しようとする課題】
【０００３】
従来の盗撮検知システムでは、盗撮を防止するためには、被写体側で情報を検知するための受信装置を保持する必要があり、当該受信装置を保持していなければならないという精神的・物理的不自由さを被写体側に強いるという問題がある。また、被写体側が常に受信装置を保持できるとは限らず、受信装置を保持していないときには盗撮を有効に防止できないという問題がある。
【０００４】
本発明は、このような従来の技術の問題点を解決することを主な目的としており、被写体側に精神的・物理的不自由さを強いることなく、有効に盗撮を防止する技術を実現する。
【課題を解決するための手段】
【０００５】
本発明に係る撮影制御装置は、
撮影機器に搭載され、前記撮影機器の撮影の制御を行う撮影制御装置であって、
前記撮影機器の状態及び前記撮影機器の周囲の状態の少なくともいずれかを検出する状態検出部と、
前記状態検出部により検出された前記撮影機器の状態及び前記撮影機器の周囲の状態の少なくともいずれかが所定の条件に合致する場合に、撮影を抑止するため制御を行う撮影制御部とを有することを特徴とする。
【発明の効果】
【０００６】
本発明によれば、撮影機器の側で、撮影機器の状態及び撮影機器の周囲の状態の少なくともいずれかを検出し、検出した撮影機器の状態及び撮影機器の周囲の状態の少なくともいずれかが所定の条件に合致する場合に、撮影を抑止するため制御を行うため、被写体側に精神的・物理的不自由さを強いることなく、有効に盗撮を防止することができる。
【発明を実施するための最良の形態】
【０００７】
実施の形態１．
図１は、本実施の形態に係る撮影制御装置４を含むカメラ機能付き小型電子機器を示す。カメラ機能付き小型電子機器１は、レンズ２、撮影実行部３、及び撮影制御装置４を備え、例えば、カメラ機能付き携帯電話機やデジタルカメラである。カメラ機能付き小型電子機器１は、撮影機器の例に相当する。なお、図１では、本実施の形態に係る撮影制御装置４を説明するのに必要な要素のみを示しており、カメラ機能付き携帯電話機やデジタルカメラに含まれる各種機能は記載を省略している。
【０００８】
撮影制御装置４は、カメラ機能付き小型電子機器１に搭載され、カメラ機能付き小型電子機器１（撮影機器）の状態及びカメラ機能付き小型電子機器１（撮影機器）の周囲の状態の少なくともいずれかが所定の条件に合致する場合に、撮影を抑止するため制御を行う。実施の形態１に係る撮影制御装置４は、撮影開始状態検出部４０１、傾き検出部４０２、撮影制御部４０３から構成される。撮影開始状態検出部４０１は、例えば、ユーザのスイッチ操作等によりカメラ機能付き小型電子機器１が撮影を開始できる状態（撮影開始状態）になったか否かを検出する。傾き検出部４０２は、撮影開始状態の際のカメラ機能付き小型電子機器１の傾きを検出する。傾き検出部４０２は、例えば、３次元加速度センサ等に代表される小型の３次元傾きセンサである。なお、傾き検出部４０２は状態検出部の例に相当する。撮影制御部４０３は、傾き検出部４０２により検出された傾きが所定の角度以上である場合に、撮影実行部３に対して制御信号を出力して撮影を行えない状態にする。
【０００９】
なお、撮影制御装置４は、図示していないが、例えばマイクロプロセッサ等のＣＰＵ、半導体メモリ等や磁気ディスク等の記録手段を有する計算機により実現することができる。記録手段に、撮影制御装置４に含まれる各構成要素の機能を実現するプログラムを記録し、ＣＰＵがこれらのプログラムを読み込むことにより撮影制御装置４の動作を制御し、各構成要素の機能を実現することも可能である。
【００１０】
ここで、図２〜図５を用いて、カメラ機能付き小型電子機器１の傾きについて説明を行う。図２は、カメラ機能付き小型電子機器１のレンズ２の撮影方向が水平に向けられている状態を示す。図３は、レンズ２の撮影方向が水平より上方α度の方向に向けられている状態を示し、図４は、レンズ２の撮影方向が水平より下方β度の方向に向けられている状態を示す。本実施の形態に係る傾き検出部４０２は、このようなカメラ機能付き小型電子機器１の傾きを検出し、撮影制御部４０３は、カメラ機能付き小型電子機器１の傾きが所定の範囲（例えば、α＝β≦４５°）にある場合のみ撮影可能とすることで、極端に傾けた状態における撮影を禁止することが可能となる。ここで、図５に示すように、機器本体をレンズの方向を中心に回転させても、撮影角度は変わらない。
【００１１】
次に、図６を参照して、本実施の形態に係る撮影制御装置４の動作例を説明する。
【００１２】
まず、ステップＳ６０１において、撮影開始状態検出部４０１が撮影開始状態になったか否かを判断し、撮影開始状態になっていなければ撮影開始状態になるまで待ち、撮影開始状態になっていれば、ステップＳ６０２に進む。ステップＳ６０２では、傾き検出部４０２がカメラ機能付き小型電子機器１の傾きを検出する（状態検出ステップ（傾き検出ステップ））。次に、ステップＳ６０３において、撮影制御部４０３がステップＳ６０２で検出されたカメラ機能付き小型電子機器１の傾きが所定の角度（例えば、上下方向ともに４５°）以上か否かを判断し（撮影制御ステップ）、所定の角度以内であれば、処理を終了し、撮影の制御は行われず、撮影実行部３により撮影が行われる。一方、所定の角度以上であれば、ステップＳ６０４において、撮影制御部４０３は撮影禁止を指示する制御信号を撮影実行部３に出力し、撮影を禁止させる（撮影制御ステップ）。
【００１３】
このように、本実施の形態に係る撮影制御装置は、撮影機器の傾きを検出し、撮影機器の傾きが所定の角度以上であるか否かを判断し、撮影機器の傾きが所定の角度以上である場合に、撮影機器を制御して撮影を行えない状態にする。このため、被写体側に何ら付加的な装置を用意することなく、撮影機器のみへの機能追加により盗撮という犯罪行為を有効に抑止することができる。
【００１４】
実施の形態２．
図７は、本実施の形態に係る撮影制御装置４を含むカメラ機能付き小型電子機器を示す。図において、１〜４、及び４０１、４０３の要素は図１と同じであり、説明を省略する。本実施の形態に係る撮影制御装置４は、右手配置検出部４０４と左手配置検出部４０５を備える。右手配置検出部４０４は撮影開始状態の際に、ユーザ（撮影者）の右手が配置されるべき位置に右手が添えられてあることを確認し、左手配置検出部４０５は撮影開始状態の際に、ユーザ（撮影者）の左手が配置されるべき位置に左手が添えられてあることを確認する。撮影制御部４０３は、両手が添えてあることを同時に確認した時のみ撮影が可能とする。これにより、盗撮を試みようとした場合に撮影者の体勢の不自然さを強調できる。なお、右手配置検出部４０４及び左手配置検出部４０５は、状態検出部の例に相当する。
【００１５】
次に、図８を参照して、本実施の形態に係る撮影制御装置４の動作例を説明する。
【００１６】
まず、ステップＳ８０１において、撮影開始状態検出部４０１が撮影開始状態になったか否かを判断し、撮影開始状態になっていなければ撮影開始状態になるまで待ち、撮影開始状態になっていれば、ステップＳ８０２に進む。ステップＳ８０２では、右手配置検出部４０４が撮影者の右手が所定の位置に配置されているか否かを判断する（状態検出ステップ（右手配置検出ステップ））。右手が配置されていることが検出されなかった場合（Ｓ８０３でＮｏ）は、ステップＳ８０６に進み、右手が配置されていることが検出された場合（Ｓ８０３でＹｅｓ）は、ステップＳ８０４に進む。ステップＳ８０４では、左手配置検出部４０５が撮影者の左手が所定の位置に配置されているか否かを判断する（状態検出ステップ（左手配置検出ステップ））。左手が配置されていることが検出された場合（Ｓ８０５でＹｅｓ）は、右手左手ともに所定の位置に配置されているため、処理を終了し、撮影の制御は行われず、撮影実行部３により撮影が行われる。一方、左手が配置されていることが検出されなかった場合（Ｓ８０５でＮｏ）は、ステップＳ８０６に進む。ステップＳ８０６では、撮影制御部４０３が撮影禁止を指示する制御信号を撮影実行部３に出力し、撮影を禁止させる（撮影制御ステップ）。
【００１７】
このように、本実施の形態に係る撮影制御装置は、撮影機器のユーザの右手が配置されるべき位置にユーザの右手が配置されたか否かを検出し、撮影機器のユーザの左手が配置されるべき位置にユーザの左手が配置されたか否かを検出し、ユーザの右手が配置されたことが検出されない場合、及びユーザの左手が配置されたことが検出されない場合の少なくともいずれかの場合に、撮影機器を制御して撮影を行えない状態にする。このため、盗撮を試みようとした場合に撮影者の体勢の不自然さを強調でき、これにより、被写体側に何ら付加的な装置を用意することなく、撮影機器のみへの機能追加により盗撮という犯罪行為を有効に抑止することができる。
【００１８】
実施の形態３．
本実施の形態では、図７に示した右手配置検出部４０４及び左手配置検出部４０５に、指紋認識センサを利用することで、右手、及び左手の支持を確認する。つまり、右手配置検出部４０４は、ユーザの右手の指紋を記憶しており、記憶しているユーザの右手の指紋と照合することによりユーザの右手が配置されたか否かを検出し、また、左手配置検出部４０５もユーザの左手の指紋を記憶しており、記憶しているユーザの左手の指紋と照合することによりユーザの左手が配置されたか否かを検出する。これにより、右手及び左手の配置の有無が確実に検知でき、より有効に盗撮を抑止することができる。
【００１９】
実施の形態４．
本実施の形態では、図７に示した右手配置検出部４０４及び左手配置検出部４０５に、圧力センサを利用することで、右手、及び左手の支持を確認する。これにより、右手及び左手の配置の有無が確実に検知でき、より有効に盗撮を抑止することができる。
また、圧力センサの圧力パターンから保持の状態（右手・左手の識別、上向き・下向きの識別等）や姿勢を検知するようにしてもよい。
【００２０】
実施の形態５．
図９は、本実施の形態に係る撮影制御装置４を含むカメラ機能付き小型電子機器を示す。図において、１〜４、及び４０１、４０３の要素は図１と同じであり、説明を省略する。本実施の形態に係る撮影制御装置４は、騒音レベル検出部４０６及び警告音出力部４０７を備える。騒音レベル検出部４０６は撮影開始状態になった際のカメラ機能付き小型電子機器の周囲の騒音レベルを検知する。警告音出力部４０７は、撮影時に周囲に聞こえるレベルに調整した警告音を発生させる。これにより、騒音の多い場所での盗撮を予防する。なお、騒音レベル検出部４０６は、状態検出部の例に相当する。
【００２１】
次に、図１０を参照して、本実施の形態に係る撮影制御装置４の動作例を説明する。
【００２２】
まず、ステップＳ１００１において、撮影開始状態検出部４０１が撮影開始状態になったか否かを判断し、撮影開始状態になっていなければ撮影開始状態になるまで待ち、撮影開始状態になっていれば、ステップＳ１００２に進む。ステップＳ１００２では、騒音レベル検出部４０６が周囲の騒音レベルを検出する（状態検出ステップ（騒音レベル検出ステップ））。次に、ステップＳ１００３において、撮影制御部４０３がステップＳ１００２で検出された騒音レベルが所定の音量以上かどうかを判断し（撮影制御ステップ）、騒音レベルが所定の音量以下であれば、警告音を出力せずに処理を終了する。一方、騒音レベルが所定の音量以上であれば、ステップＳ１００４において、撮影制御部４０３が騒音レベルに応じた警告音の音量を決定し（撮影制御ステップ）、決定した音量にて警告音を出力するように警告音出力部４０７に指示し、ステップＳ１００５において、警告音出力部４０７は決定された音量で警告音を出力する（警告音出力ステップ）。
【００２３】
このように、本実施の形態に係る撮影制御装置は、撮影開始状態になった際の撮影機器の周囲の騒音レベルを検出し、騒音レベルが所定の音量以上であるか否かを判断し、騒音レベルが所定の音量以上である場合に、警告音を出力させる際の音量を騒音レベルに応じて決定し、決定した音量にて警告音を出力する。これにより、被写体側に何ら付加的な装置を用意することなく、騒音の多い場所での盗撮を有効に抑止することができる。
【００２４】
実施の形態６．
図１１は、本実施の形態に係る撮影制御装置４を含むカメラ機能付き小型電子機器を示す。図において、１〜４、及び４０１、４０３、４０６、４０７の要素は図９と同じであり、説明を省略する。本実施の形態に係るカメラ機能付き小型電子機器は、録音部５を有する。本実施の形態に係る撮影制御装置４は、警告音消去部４０８を備える。警告音消去部４０８は、撮影時に録音部５がマイク（図示せず）から集音した音を録音する際、警告音出力部４０７が出力する警告音の位相を反転させた音声データをマイクから集音した音声データと合成することで、録音データから警告音を消去する。これにより、録画データに不快な警告音を残さないことが可能となる。
【００２５】
このように、本実施の形態に係る撮影制御装置は、警告音が出力されている状態で撮影機器により録音が行われる場合に、警告音の逆位相の音声データを発生させて撮影機器の録音データから警告音を消去する。これにより、被写体側に何ら付加的な装置を用意することなく、騒音の多い場所での盗撮を有効に抑止することができるとともに、録画データに不快な警告音を残さないことが可能となる。
【００２６】
ここで、以上の実施の形態に示した撮影制御装置は、カメラ機能（動画、静止画）を有する小型電子機器において、撮影者の不自然な撮影体勢を自動検知し、周囲に明らかにさせる、もしくは自動的に記録を抑止する機能を有することで盗撮を防止することを特徴とする。
【００２７】
具体的には、電子機器に傾きセンサを具備し、カメラの傾きにより通常と異なる状態を検知することで、盗撮を防止することを特徴とする。
【００２８】
また、右手支持確認部と左手支持確認部を有し、両手を添えなければ撮影できない構造をとることで、盗撮を防止することを特徴とする。
【００２９】
また、支持確認部において、指紋認識装置により支持確認することを特徴とする。
【００３０】
また、支持確認部において、圧力センサにより支持確認することを特徴とする。
【００３１】
また、周囲の騒音を認識して撮影時の警告音を周囲に聞こえる大きさに自動調節する警告音自動調節機能を有することで、盗撮を防止することを特徴とする。
【００３２】
また、録音時に機器本体から発する警告音を自動消去する機能を有することで、録画データに不快な警告音を残さないことを特徴とする。
【図面の簡単な説明】
【００３３】
【図１】実施の形態１に係る撮影制御装置の構成例を示す図。
【図２】カメラ機能付き小型電子機器の傾きを説明する図。
【図３】カメラ機能付き小型電子機器の傾きを説明する図。
【図４】カメラ機能付き小型電子機器の傾きを説明する図。
【図５】カメラ機能付き小型電子機器の傾きを説明する図。
【図６】実施の形態１に係る撮影制御装置の動作例を示すフローチャート図。
【図７】実施の形態２に係る撮影制御装置の構成例を示す図。
【図８】実施の形態２に係る撮影制御装置の動作例を示すフローチャート図。
【図９】実施の形態５に係る撮影制御装置の構成例を示す図。
【図１０】実施の形態５に係る撮影制御装置の動作例を示すフローチャート図。
【図１１】実施の形態６に係る撮影制御装置の構成例を示す図。
【図１２】従来の技術を説明する図。
【符号の説明】
【００３４】
１  カメラ機能付き小型電子機器、２  レンズ、３  撮影実行部、４  撮影制御装置、５  録音部、４０１  撮影開始状態検出部、４０２  傾き検出部、４０３  撮影制御部、４０４  右手配置検出部、４０５  左手配置検出部、４０６  騒音レベル検出部、４０７  警告音出力部、４０８  警告音消去部。
【図１】
2005260823.tif 000003
【図２】
2005260823.tif 000004
【図３】
2005260823.tif 000005
【図４】
2005260823.tif 000006
【図５】
2005260823.tif 000007
【図６】
2005260823.tif 000008
【図７】
2005260823.tif 000009
【図８】
2005260823.tif 000010
【図９】
2005260823.tif 000011
【図１０】
2005260823.tif 000012
【図１１】
2005260823.tif 000013
【図１２】
2005260823.tif 000014